Podtech/llm-jp-corpus-v4-ja_patent huggingface dataset:
【事件の表示】
　特許第５９９１９０５号発明「ペースト状香辛料の製造方法，及びそれにより得られるペースト状香辛料」の特許異議申立事件について，次のとおり決定する。
【結　論】
　特許第５９９１９０５号の請求項１〜４に係る特許を取り消す。
【理　由】
第１　手続の経緯
　特許第５９９１９０５号の請求項１〜４に係る特許（以下「本件特許」という。）に係る経緯は，概ね，次のとおりである。すなわち，平成２４年１１月２９日に特許出願がなされ，平成２８年８月２６日に特許権の設定登録がなされたところ，平成２９年３月１３日に特許異議申立人奥谷宏邦により特許異議の申立てがなされた。平成２９年４月２７日付けで取消理由を通知し，期間を指定して，意見書を提出する機会を与えたが，特許権者から何らの応答はなかった。
第２　特許異議の申立てについて
　１　本件発明
　本件特許の請求項１〜４に係る発明は，特許請求の範囲の請求項１〜４に記載された事項により特定される次のとおりである。以下，本件特許に係る発明を請求項の番号に従って「本件発明１」などという。
　　【請求項１】
ペースト状香辛料の製造方法であって，
該ペースト状香辛料が，配合原料として少なくとも，食用油脂，香辛料，乳化剤，および糖アルコールを含有し，
該ペースト状香辛料の食用油脂含有量が１２〜６５％，水分含有量が５〜２５％であり，配合原料である粉体の一部と食用油脂とを混合することにより粉体の油中分散物を調製する工程１，
および該油中分散物に他の原料を混合する工程２を有し，
工程１で食用油脂と混合する粉体の合計量が，ペースト状香辛料全体に対して５〜５０％である，
ペースト状香辛料の製造方法。
　　【請求項２】
請求項１に記載のペースト状香辛料の製造方法であって，
香辛料（固形分換算）を５〜４０％含む，
ペースト状香辛料の製造方法。
　　【請求項３】
請求項１又は２に記載のペースト状香辛料の製造方法により得られるペースト状香辛料であって，
食用油脂１２〜６５％，水分５〜２５％，香辛料，乳化剤，および糖アルコールを含有し，
ペースト状香辛料１００ｇに対し水３００ｇを添加し，ハンドホイッパーを用いて，２５℃，１２０ｒｐｍで３分間撹拌混合し，その後５分間静置した際に，油相又は水相の分離が視認できない特性を有する，
ペースト状香辛料。
　　【請求項４】
請求項３記載のペースト状香辛料であって，
積分球式光電光度法を用いて濁度測定することにより得られる前記ペースト状香辛料の全光線透過率Ｔ１（対照：清水，波長３９０ｎｍ，光路長５ｍｍ）が，前記ペースト状香辛料を水で３倍に希釈することにより油脂が微細粒子化して乳化状態となった場合の全光線透過率Ｔ２よりも高い，
ペースト状香辛料。
　２　取消理由の概要
　本件特許に対し通知した取消理由は，概ね，次のとおりである。
　　（１）　本件特許は，特許請求の範囲の記載が後記３の点で不備のため，特許法３６条６項１号に規定する要件を満たしていない特許出願に対してなされたものであり，取り消すべきものである。
　　（２）　本件特許は，特許請求の範囲の記載が後記４の点で不備のため，特許法３６条６項２号に規定する要件を満たしていない特許出願に対してなされたものであり，取り消すべきものである。
　　（３）　本件特許は，発明の詳細な説明の記載が後記５の点で不備のため，特許法３６条４項１号に規定する要件を満たしていない特許出願に対してなされたものであり，取り消すべきものである。
　　（４）　本件発明１〜４は，本件特許の出願前に日本国内又は外国において，頒布された後記６の刊行物に記載された発明又は電気通信回線を通じて公衆に利用可能となった発明に基いて，その出願前にその発明の属する技術の分野における通常の知識を有する者が容易に発明をすることができたものであって，特許法２９条２項の規定により特許を受けることができないから，その発明に係る特許は取り消すべきものである。
　３　３６条６項１号について
　（異議申立書３（４）（４−１）（４〜９頁）参照）
　発明の詳細な説明の記載によれば，実施例１〜９は，工程１において粉体原料の全てを食用油脂に混合させており，粉体原料の一部と食用油脂とを混合させていないから，本件発明１〜４は，発明の詳細な説明に記載されたものではない。
　よって，請求項１〜４の記載は，特許法３６条６項１号に規定する要件を満たしていない。
　４　３６条６項２号について
　（異議申立書３（４）（４−２）（９〜１０頁）参照）
　本件発明３及び４は，「ペースト状香辛料」という物の発明であるが，「請求項１又は２に記載のペースト状香辛料の製造方法により得られるペースト状香辛料であって」（請求項３）とは，製造方法の発明を引用する場合に該当するため，当該請求項にはその物の製造方法が記載されているといえる。
　ここで，物の発明に係る特許請求の範囲にその物の製造方法が記載されている場合において，当該特許請求の範囲の記載が特許法３６条６項２号にいう「発明が明確であること」という要件に適合するといえるのは，出願時において当該物をその構造又は特性により直接特定することが不可能であるか，又はおよそ実際的でないという事情（以下「不可能・非実際的事情」という）が存在するときに限られると解するのが相当である（最高裁第二小法廷平成２７年６月５日　平成２４年（受）第１２０４号，平成２４年（受）第２６５８号）。
　しかしながら，本件特許明細書等には不可能・非実際的事情について何ら記載がなく，当業者にとって不可能・非実際的事情が明らかであるとも言えない。
　よって，本件発明３及び４は明確でないから，請求項３及び４の記載は，特許法３６条６項２号の要件を満たしていない。
　５　３６条４項１号について
　（異議申立書３（４）（４−３）（１０〜１１頁）参照）
　発明の詳細な説明の記載によれば，実施例１〜９は，工程１において粉体原料の一部と食用油脂とを混合させていないから，発明の詳細な説明の記載が明らかに不十分である。
　よって，発明の詳細な説明は，当業者が本件発明１〜４の実施をすることができる程度に明確かつ十分に記載したものであるとはいえないから，特許法３６条４項１号の要件を満たしていない。
　６　２９条２項について
　（異議申立書３（１），（４）（４−５）（２〜３，１１〜１５頁）参照）
　（１）　甲号証
　甲１号証：特開２００６−１４９２８８号公報
　甲２号証：特開２００２−２８１８９８号公報
　甲３号証：特開平１１−５６２９１号公報
　（２）　本件発明１〜４は，甲１号証に記載された発明及び甲２，３号証に記載された事項に基いて，当業者が容易に発明をすることができたものである。
　よって，本件発明１〜４は，特許法２９条２項の規定により特許を受けることができない。
第３　むすび
　以上のとおり，本件特許は，特許法３６条６項１号，同条６項２号，同条４項１号に規定する要件を満たしていない特許出願に対してされたものであるから，同法１１３条４号に該当し，取り消されるべきものである。
　また，本件発明１〜４（請求項１〜４に係る発明）は，特許法２９条２項の規定により特許を受けることができないから，本件特許は，同法１１３条２号に該当し，取り消されるべきものである。
　よって，結論のとおり決定する。
【異議決定日】
平成２９年９月１４日（２０１７．９．１４）
【事件の表示】
　特許第５８８２１９１号発明「活性炭、およびその製造方法」の特許異議申立事件について、次のとおり決定する。
【結　論】
　特許第５８８２１９１号の特許請求の範囲を訂正請求書に添付された訂正特許請求の範囲のとおり、訂正後の請求項〔４〜６〕について訂正することを認める。
　特許第５８８２１９１号の請求項１ないし３、５ないし６に係る特許を取り消す。
　特許第５８８２１９１号の請求項４に係る特許についての特許異議の申立てを却下する。　
【理　由】
　特許第５８８２１９１号の請求項１〜７に係る特許についての出願は、平成２４年１２月２８日の出願であって、平成２８年　２月１２日にその特許権の設定登録がされ、その後、その請求項１〜６に係る特許について、特許異議申立人「浜　俊彦」により特許異議の申立てがされ、平成２８年１１月　７日付けで取消理由が通知され、その指定期間内である平成２９年　１月１０日に意見書の提出及び訂正の請求があり、その訂正の請求に対して特許異議申立人から平成２９年　２月１７日付けで意見書が提出された。
　これに対して、平成２９年　４月　４日付けで請求項４〜６の訂正を認めるとともに、請求項１〜３、５〜６に対して取消理由（決定の予告）を通知し、期間を指定して意見書を提出する機会を与えたが、特許権者からは何らの応答もない。
　そして、上記の取消理由は妥当なものと認められるので、請求項１〜３、５〜６に係る特許は、この取消理由によって取り消すべきものである。
　また、請求項４は、訂正によって削除されたため、同請求項に係る特許についての特許異議の申立ては対象となる請求項が存在しないものとなった。
　よって、結論のとおり決定する。
（なお、請求項７に係る特許については、特許異議の申立てがない。）
【異議決定日】
平成２９年７月１９日（２０１７．７．１９）
【訂正の要旨】
審決（決定）の【理由】欄参照。
（５７）【特許請求の範囲】
　【請求項１】
　一次粒子の細孔径分布を測定したとき、細孔径０．１〜３μｍの領域に分布のピークを示し、かつ細孔径０．０５〜５μｍの合計容積が、０．４ｍＬ／ｇ以上である活性炭。
　【請求項２】
　比表面積あたりの細孔径０．０５〜５μｍの合計容積が、０．２μＬ／ｍ２以上である請求項１に記載の活性炭。
　【請求項３】
　比表面積が、８００ｍ２／ｇ以上、全細孔容積が、０．４ｍＬ／ｇ以上である請求項１または２に記載の活性炭。
　【請求項４】　
（削除）
　【請求項５】
　請求項１〜
３
　【請求項６】
　請求項１〜
３
　【請求項７】
　石炭を温度２００℃以上の有機溶媒で抽出処理する工程、及びこの抽出処理で残った有機溶媒未溶解分である固体抽出残渣を、前記固体抽出残渣とアルカリ賦活剤との質量比を０．５以上、賦活処理の加熱温度を６００℃以上、賦活処理の加熱時間を０．１時間以上としてアルカリ賦活処理する工程を有する活性炭の製造方法。
【事件の表示】
　特許第５８８３８８０号発明「固形の化粧用メークアップ及び／又はケア組成物」の特許異議申立事件について、次のとおり決定する。
【結　論】
　特許第５８８３８８０号の請求項１ないし２０に係る特許を取り消す。
【理　由】
　特許第５８８３８８０号の請求項１〜２０に係る発明は、願書に添付した特許請求の範囲の請求項１〜２０に記載された事項により特定されるとおりのものであると認める。
　これに対して、平成２９年１月１６日付けで概要、次のとおりの取消理由を通知し、期間を指定して意見書を提出する機会を与えたが、特許権者からは応答がなかった。
　そして、次の取消理由は妥当なものと認められるので、本件請求項１〜２０に係る特許は、この取消理由によって取り消すべきものである。 
　よって、結論のとおり決定する。 
＜取消理由＞ 
理由１．本件特許の請求項１、２、７〜２０に係る発明は、本件特許の出願前に頒布された下記の刊行物１に記載された発明であり、また、請求項１、８〜１２、１６に係る発明は、本件特許の出願前に頒布された下記の刊行物２に記載された発明であるから、請求項１、２、７〜２０に係る特許は、特許法第２９条第１項第３号に該当する発明に対してされたものであって、取り消すべきものである。 
理由２．本件特許の請求項１〜２０に係る発明は、本件特許の出願前に頒布された下記の刊行物１に記載された発明及び本件特許の出願前に頒布された下記の刊行物１、３〜７に記載された事項に基いて当業者が容易に発明をすることができたものであるから、請求項１〜２０に係る特許は、特許法第２９条第２項の規定に違反してされたものであって、取り消すべきものである。 
理由３．本件特許の請求項１、５、６、８〜１５、１８〜２０の記載は特許法第３６条第６項第１号の規定に適合しておらず、請求項１、５、６、８〜１５、１８〜２０に係る特許は、特許法第３６条第６項第１号に規定する要件を満たしていない特許出願に対してされたものであるから、取り消すべきものである。 
　　　　　　　　　　　　　　　　記 
刊行物１：特開平８−２６９３０号公報（甲１号証） 
刊行物２：特開２００７−２１０９０３号公報（甲２号証） 
刊行物３：特開２００６−１９３５３１号公報（参考資料１） 
刊行物４：「ビューティーケア用シリコーンエラストマー　スキンケア・メイクアップ化粧品に新たな感触と機能を与える」と題するパンフレットにおける「１．ドライパウダー」の「トレフィルＥ−５０６Ｓ」の箇所（２頁）、及び、「シリコーンエラストマー製品一覧」の「トレフィルＥ−５０６Ｓ」の箇所（最終頁）、東レ・ダウコーニング株式会社、2016年7月発行（参考資料２） 
刊行物５：特開２００５−２１３２５０号公報（甲３号証） 
刊行物６：特開２００８−１２０８１３号公報（甲４号証） 
刊行物７：特開２００８−２０１６９５号公報（甲５号証） 
【異議決定日】
平成２９年５月３０日（２０１７．５．３０）
(57)【要約】      （修正有）【課題】投入口１、投入口２、出口１、出口２を有する玩具で、時間差を設けてそれぞれの入口からそれぞれ１個の玉を投入すると、投入口１に投入した玉が出口２から出て、投入口２に投入した玉が出口１から出てくるが、同時に行うと、投入口１に投入した玉が出口１から出て、投入口２に投入した玉が出口２から出てくる玩具を提供する。【解決手段】以下の（１）〜（６）のように配置した４つのスロープから成る装置とする。：（１）スロープ１、スロープ２は勾配の向きを同じにして、（２）スロープ３、スロープ４は勾配の向きが同じだが、スロープ１、スロープ２とは勾配の向きを逆にして、（３）スロープ１とスロープ３はそれぞれの下端が玉の直径の２倍より大きい間隔を空けて向き合うように配置して、（４）スロープ２はスロープ３の下に配置して、（５）スロープ４はスロープ１の下に配置して、（６）スロープ２とスロープ４はそれぞれの上端が接触するように配置する。【選択図】図５
0003234808.tif 000002
【実用新案登録請求の範囲】
【請求項１】
外見で識別でき直径と重さが同じで重心が中心にある２個の玉と以下のように配置した４つのスロープとから成る玩具：（１）スロープ１、スロープ２は勾配の向きを同じにする、（２）スロープ３、スロープ４は勾配の向きが同じだが、スロープ１、スロープ２とは勾配の向きを逆にする、（３）スロープ１とスロープ３はそれぞれの下端が玉の直径の２倍より大きい間隔を空けて向き合うように配置する、（４）スロープ２はスロープ３の下に配置する、（５）スロープ４はスロープ１の下に配置する、（６）スロープ２とスロープ４はそれぞれの上端が接触するように配置する。
【考案の詳細な説明】
【技術分野】
【０００１】
本考案は、２個の玉、４つのスロープ、玉を空中で衝突させるための空間から成る玩具に関するものである。
【背景技術】
【０００２】
２個の玉を同じ向きにジャンプさせる玩具は考案されたが、２個の玉を空中で衝突させる玩具はなかった。
【先行技術文献】
【特許文献】
【０００３】
【特許文献１】実願２０２１−００３２５４
【考案の概要】
【考案が解決しようとする課題】
【０００４】
投入口１、投入口２、出口１、出口２を有する玩具で、時間差を設けてそれぞれの投入口からそれぞれ１個の玉を投入すると、投入口１に投入した玉が出口１から出て、投入口２に投入した玉が出口２から出てくるが、同時にそれぞれの入口からそれぞれ１個の玉を投入すると、、投入口１に投入した玉が出口２から出て、投入口２に投入した玉が出口１から出てくる玩具を提供する。
【課題を解決するための手段】
【０００５】
外見で識別でき直径と重さが同じで重心が中心にある２個の玉と以下のように配置した４つのスロープとから成る装置を用意する：（１）スロープ１、スロープ２は勾配の向きを同じにする、（２）スロープ３、スロープ４は勾配の向きが同じだが、スロープ１、スロープ２とは勾配の向きを逆にする、（３）スロープ１とスロープ３はそれぞれの下端が玉の直径の２倍より大きい間隔を空けて向き合うように配置する、（４）スロープ２はスロープ３の下に配置する、（５）スロープ４はスロープ１の下に配置する、（６）スロープ２とスロープ４はそれぞれの上端が接触するように配置する。
【考案の効果】
【０００６】
本考案の玩具は、２個の玉を入れるタイミングが僅かにずれるだけで結果が大きく変わることを簡単に体験できるという利点がある。
【図面の簡単な説明】
【０００７】
【図１】図１は、一実施例として、本考案の装置を箱の中に設置し、玉１を投入口１から落下させようとしている状態を示す。
【図２】図２は、落下した玉がスロープ１とスロープ２を転がり落ち、出口１から出ようとする状態を示す。
【図３】図３は、一実施例として、本考案の装置を箱の中に設置し、玉２を投入口２から落下させようとしている状態を示す。
【図４】図４は、落下した玉がスロープ３とスロープ４を転がり落ち、出口２から出ようとしている状態を示す。
【図５】図５は、一実施例として、本考案の装置を箱の中に設置し、玉１を投入口１から玉２を投入口２から同時に落下させようとしている状態を示す。
【図６】図６は、落下した玉１と玉２がそれぞれスロープ１とスロープ３を転がり下りた後、空中で衝突した状態を示す。
【図７】図７は、玉１と玉２が空中で衝突した後、方向を変えて、それぞれスロープ４とスロープ２に入って転がり落ち、それぞれ出口２と出口１から出ようとしている状態を示す。
【考案を実施するための形態】
【０００８】
外見で識別でき直径と重さが同じで重心が中心にある２個の玉と以下のように配置した４つのスロープとから成る装置を用意する：（１）スロープ１、スロープ２は勾配の向きを同じにする、（２）スロープ３、スロープ４は勾配の向きが同じだが、スロープ１、スロープ２とは勾配の向きを逆にする、（３）スロープ１とスロープ３はそれぞれの下端が玉の直径の２倍より大きい間隔を空けて向き合うように配置する、（４）スロープ２はスロープ３の下に配置する、（５）スロープ４はスロープ１の下に配置する、（６）スロープ２とスロープ４はそれぞれの上端が接触するように配置する。
【実施例１】
【０００９】
本考案の装置を箱の中に設置し、玉１を投入口１から落下させると、落下した玉はスロープ１とスロープ２を転がり落ち、出口１から出た。
【実施例２】
【００１０】
本考案の装置を箱の中に設置し、玉２を投入口１から落下させると、落下した玉はスロープ３とスロープ４を転がり落ち、出口２から出た。
【実施例３】
【００１１】
本考案の装置を箱の中に設置し、玉１を投入口１から玉２を投入口２から同時に落下させると、落下した玉１と玉２がそれぞれスロープ１とスロープ３を転がり下りた後、空中で衝突した後、方向を変えて、それぞれスロープ２とスロープ４に入って転がり落ち、それぞれ出口２と出口１から出た。
【産業上の利用可能性】
【００１２】
本考案の玩具は色々な年齢の人が一人や複数の人で、単独の玩具として又はスロープシステムの一部として組み込んだり、結果に点数を付与してゲームとしても楽しむことができるだけでなく、実演したり遊ばせると知能の発達段階に応じて見る人や遊ぶ人に色々な発見をさせることが期待できるため、見る人や遊ぶ人の反応を観察したり何か気が付いたことはないかを質問したりすることによって知能の発達や認知機能の衰えを調べるツールとして、またどうしてそうなるかを考えさせる教材や展示品としての利用が期待できる。
【図１】
0003234808.tif 000003
【図２】
0003234808.tif 000004
【図３】
0003234808.tif 000005
【図４】
0003234808.tif 000006
【図５】
0003234808.tif 000007
【図６】
0003234808.tif 000008
【図７】
0003234808.tif 000009
(57)【要約】      （修正有）【課題】用具の柄を片手で持ちながらも、もう一方の片手だけで使い捨ての布等を平坦に取り付けられ、布等の半分程度の面を塗布および拭取りに使用できる背の手入れ用具を提供する。【解決手段】背の手入れ用具は、孫の手として使用するための爪２と、角度を調整するための固定ネジ４と、伸縮可能な柄１が設けられている。クリーム状の薬剤だけでなく、布等を平坦に取り付け液状の薬剤を均等に塗布するために、切り込みを入れた柔軟性のある樹脂板部品からなる布等固定部３を設け、布等固定部３の反対側に薬剤含浸部を設けた。用具の柄を片手で持ちながらも、もう一方の空いた片手だけで使い捨ての布等を薬剤含浸部を平坦に覆うように固定でき、固定した布等は、液状の薬剤を塗布する際に好適であるだけでなく、乾布の状態のままで背の汗等を拭う際にも使用することができる。【選択図】図１
0003234876.tif 000002
【実用新案登録請求の範囲】
【請求項１】
手入れ用の布等を固定するための柔軟基材からなるスリットを複数設けたことを特徴とするとする背の手入れ用具
【考案の詳細な説明】
【技術分野】
【０００１】
この考案は、自身の背の手入れをするための用具に関するものである。
【背景技術】
【０００２】
従来からある「孫の手」に、さらに不織布又は脱脂綿等からなる使い捨ての布等を取り付けて、自身の背の手入れをするものは特許文献１等により公知であり、手入れ時に適宜布等を先端に固定して使用することが行われている。
【特許文献１】実用新案登録第３１７２３２８号
【考案の開示】
【考案が解決しようとする課題】
【０００３】
特許文献１に記載の手入れ用具は、先端がクリップ形状をしているため、布等の一部の狭い個所しか背に接触させることができず、塗布および拭取りの効率の悪いものであった。
【０００４】
この考案は、上記のような従来技術に存在する問題点に着目してなされたものである。その目的とするところは、用具の柄を片手で持ちながらも、もう一方の片手だけで使い捨ての布等を平坦に取り付けられ、布等の半分程度の面を塗布および拭取りに使用できる背の手入れ用具を提供することにある。
【課題を解決するための手段】
【０００５】
上記の目的を達成するために、本考案の背の手入れ用具は、手入れ用の布等を固定するための柔軟基材からなるスリットを複数設けた。
【考案の効果】
【０００６】
手入れ用の布等を固定するための柔軟基材からなるスリットを用具の片面に複数設けたことにより、用具の柄を片手で持ちながらも、もう一方の空いた片手だけで使い捨ての布等を平坦に取り付けられる。
【０００７】
さらに引き続き、布等に薬液等を浸み込ませる際にも、空いた片手で作業に移れる長所がある。
【考案を実施するための最良の形態】
【０００８】
以下にこの考案を具体化した一実施形態に基づいて詳細に説明する。
【実施例１】
【０００９】
図１に示される本考案の背の手入れ用具には、孫の手として使用するための「爪」があり、角度を調整をするための「固定ネジ」と伸縮可能な柄が設けられている。
図２に示される「布等固定部」は、図示する形状の切り込みを入れた柔軟性のある樹脂板部品である。
さらに、「布等固定部」の反対側には、図４で示される「薬剤含浸部」を設けた。
【００１０】
本考案の背の手入れ用具を従前の孫の手として使用する際には、爪の角度や柄の長さを任意に設定できる。また、「薬剤含浸部」には凹凸形状に溝が設けられているため、クリーム状の薬剤を適度に保持しながら背に塗布することができる。
【００１１】
「薬剤含浸部」の反対側には２か所の「布等固定部」を設けたので、図５に示すように、「薬剤含浸部」を覆うように布等を固定することができる。
「布等固定部」は、図示する形状の切り込みを入れた柔軟性のある樹脂板部品であるので、用具の柄を片手で持ちながらも、もう一方の空いた片手だけで使い捨ての布等を用いて「薬剤含浸部」を平坦に覆うことができる。
【００１２】
このようにして「薬剤含浸部」を覆うように固定した布等は、垂れやすい液状の薬剤を塗布する際に好適であるだけでなく、乾布の状態のままで背の汗等を拭う際にも使用することができる。
【産業上の利用可能性】
【００１３】
クリーム状の薬剤だけでなく、布等を平坦に取り付け液状の薬剤を均等に塗布することができる。
【図面の簡単な説明】
【００１４】
【図１】実施例１の柄を伸ばした使用状態
【図２】実施例１の柄を縮めた状態
【図３】実施例１の固定ネジを緩めて、折り畳みむ際の変型態様を示す参考図
【図４】実施例１の折りたたんだ状態
【図５】実施例１の「布等固定部」に布を固定した状態を示す参考図
【符号の説明】
【００１５】
１．      柄
２．      爪
３．      布等固定部
４．      固定ネジ
５．      薬剤含浸部
６．      布等
【図１】
0003234876.tif 000003
【図２】
0003234876.tif 000004
【図３】
0003234876.tif 000005
【図４】
0003234876.tif 000006
【図５】
0003234876.tif 000007
(57)【要約】      （修正有）【課題】パンの内部に具材を入れたパンを食べる際に、パンの形状が崩れにくく、パンの中の具材をこぼさずに食べることが可能とするパンを提供する。【解決手段】直方体状に形成されたパン１０と直方体状の板２０とを備え、パン１０は板２０に載置され、パン１０の内部にパン１０の長手方向に直方体状の空洞部１１を有する。【選択図】図１
0003234877.tif 000002
【実用新案登録請求の範囲】
【請求項１】
直方体状に形成されたパンと、
直方体状の板と、
を備え、
前記パンは前記板に載置され、
前記パンの内部に前記パンの長手方向に空洞部を有する、
ことを特徴とする板パン。
【請求項２】
前記空洞部が直方体状である、
ことを特徴とする請求項１に記載の板パン。
【請求項３】
前記空洞部が円柱状である、
ことを特徴とする請求項１に記載の板パン。
【考案の詳細な説明】
【技術分野】
【０００１】
本考案は、パンに関する。
【背景技術】
【０００２】
従来からパンの内部に穴をあけて、餡子、カレー、玉子等加工された様々な具材を入れて食べることが知られている。
【先行技術文献】
【特許文献】
【０００３】
【特許文献１】特開第２００７−３１９１５８号
【考案の概要】
【考案が解決しようとする課題】
【０００４】
特許文献１は、食パンの内部に穴をあける方法や内部に穴をあけた食パンの内部に加工された様々な具材を入れて食べることが行われている。しかし、食パンを食べる際に、食パンが折れ曲がり、中の具材がこぼれることがある。また、食パンの持ち方によっては、食パンの中の具材の重みで、食パンがちぎれる場合もある。
【０００５】
本考案は、パンの内部に加工された様々な具材を入れたパンを食べる際に、中の具材をこぼさずに食べることが可能な食パン、及びパンを乗せる土台の構造を提供する。
【課題を解決するための手段】
【０００６】
本考案の一形態は、直方体状に形成されたパンと直方体状の板とを備え、前記パンは前記板に載置され、前記パンの内部に前記パンの長手方向に空洞部を有することを特徴とする板パンである。
【考案の効果】
【０００７】
本考案である板パンによると、パン１０を板２０に載置するため、パンの形状が崩れにくく、パンの中の具材をこぼさずに食べることが可能である。また、パンを直接持たず、板を持つことにより、手が汚れにくいという効果を有する。
【図面の簡単な説明】
【０００８】
【図１】本考案にかかる板パン１の外観図である。
【図２】板パン１の空洞部１１に具材３０を入れた外観図である。
【図３】板パン１の長手方向に対して垂直な面で切断した断面図である。
【図４】板パン１の長手方向に平行な方向で切断した断面図である。
【図５】パン１０の空洞部１１が楕円形状である場合の外観図である。
【図６】パン１０の形状が釣り鐘状で、空洞部１１が楕円形状である場合の外観図である。
【図７】パン１０の形状が楕円形状で、空洞部１１が楕円形状である場合の外観図である。
【図８】板２０に矩形溝を有している場合の外観図である。
【図９】板２０が竹筒を半部に割った形状である場合の外観図である。
【考案を実施するための形態】
【０００９】
本考案の実施形態について、図１乃至図９を参照して説明する。
[１．構成]
図１に示されるように板パン１は、直方体状に形成されたパン１０と直方体状の板２０とを備え、前記パン１０は前記板２０に載置され、前記パン１０の内部に前記パン１０の長手方向に空洞部１１を有することを特徴とするパンである。
【００１０】
本考案に係る板パン１は、パン１０を板２０に載置させたものである。
【００１１】
パン１０は、直方体状をしたパンである。パン１０の大きさは、幅の長さが５０ｍｍ乃至１００ｍｍ、高さの長さ３０ｍｍ乃至８０ｍｍ、奥行の長さが１００ｍｍ乃至１６０ｍｍの範囲内のものである。
【００１２】
パン１０の形状は、三角柱状や釣り鐘状であっても良いし（図６）、円柱状や楕円柱状であっても良い（図７）。
【００１３】
パン１０の材料は、小麦粉、パン酵母、塩、水である。必要に応じて、卵、バター等を加える。
【００１４】
空洞部１１は、パン１０の内部に直方体であるパン１０の長手方向に形成された洞穴である。空洞部１１の位置は、パン１０の長手方向に対して垂直面内においてパン１０の中央である。空洞部１１の大きさは、幅の長さが３０ｍｍ乃至８０ｍｍ、高さの長さが２０ｍｍ乃至５０ｍｍ、奥行の長さが１００ｍｍ乃至１６０ｍｍの範囲内のものである。
【００１５】
空洞部１１の形状は、直方体状であってもよい（図１）。また、空洞部１１の形状は、円柱状や楕円柱状であっても良いし（図５乃至図７）、三角柱状であっても良い。
【００１６】
板２０は、パン１０を載置させる土台となるものである。板２０は、直方体状乃至かまぼこ板状のものである（図１）。板２０の大きさは、幅の長さが３０ｍｍ乃至１００ｍｍ、高さの長さが１０ｍｍ乃至２０ｍｍ、奥行の長さが１００ｍｍ乃至１８０ｍｍの範囲内である。
【００１７】
板２０の形状は、直方体状の中央部に矩形溝を有しているものであっても良い（図８）。また、竹筒を半分に割ったものであっても良い（図９）。
【００１８】
板２０の材料は、木である。また、板２０の材料は、竹であっても良いし、合成樹脂であっても良いし、金属であっても良い。
【００１９】
図２は、パン１０の空洞部１１に加工された具材３０を入れた外観図である。加工された具材は、餡子でも良いし、卵でも良いし、ポテトサラダ等でも良い。
【００２０】
パン１０の作り方は、空洞部１１を形成するための第一の型にパン生地を巻き付ける。パン生地を巻き付けた第一の型を直方体状の第二の型の中に入れ、上部から板２０で押さえる。パン１０が焼きあがったら、上下を逆転させるようにして、第一の型に巻き付けたパン１０を取り出し、パン１０を板２０の上に乗せる。パン１０から第一の型を取り除き、空洞部１１に好みの具材を入れることが可能である。
【００２１】
[２．効果]
本考案によると、パン１０を板２０に載置するため、パン１０の形状が崩れにくく、パンの中の具材をこぼさずに食べることが可能である。また、パン１０を直接持たず、板２０を持つことにより、手が汚れにくいという効果を有する。
【符号の説明】
【００２２】
１            板パン
１０          パン
１１          パン１０の空洞部
２０          板
３０          加工された具材
【図１】
0003234877.tif 000003
【図２】
0003234877.tif 000004
【図３】
0003234877.tif 000005
【図４】
0003234877.tif 000006
【図５】
0003234877.tif 000007
【図６】
0003234877.tif 000008
【図７】
0003234877.tif 000009
【図８】
0003234877.tif 000010
【図９】
0003234877.tif 000011
(57)【要約】      （修正有）【課題】マスクデザインの多様化及び感染予防の強化と使用環境の向上を図る衛生マスク用フレームを提供する。【解決手段】マスク用フレーム１に釦２を取り付けその釦を介して立体補強材３及びマウスシールド等を付け替える。【選択図】図４
0003234829.tif 000002
【実用新案登録請求の範囲】
【請求項１】
本考案は環状のフレームに釦を取り付けた衛生マスク用フレームである
【請求項２】
請求項１の釦に係留される立体補強材で構成された衛生マスク用フレームである
【考案の詳細な説明】
【技術分野】
【０００１】本考案は衛生マスクに利用されるマスクフレームである
【背景技術】
【０００２】従来のマスクフレームは衛生マスクと顔面の間に設けてスペースを確保し呼吸改善を成す物で有った
【考案の概要】
【考案が解決しようとする課題】
【０００３】本考案は昨今の衛生マスクを取り巻くニーズの多様化を鑑みマウスシールド等の付け外し及び多重化を実現するマスクフレームを提供する
【課題を解決するための手段】
【０００４】本考案は上記衛生マスク用フレームに取付られた釦を利用し着脱可能にする物である
【考案の効果】
【０００５】釦を介して交換及び多重取付を行えばデザインの多様性若しくは感染予防の強化とマスク使用環境の向上を図れる
【図面の簡単な説明】
【０００６】
【図１】請求項１に係る正面図
【図２】請求項１に係る平面図
【図３】請求項１に係る右側面図
【図４】請求項２に係る正面図
【図５】請求項２に係る平面図
【図６】請求項２に係る右側面図
【考案を実施するための形態】
【０００７】本考案は上記衛生マスク用フレーム（１）に釦（２）を取付け立体補強材（３）及びフェイスシールド等に釦穴開けて付け替えを容易にすることが出来る
【符号の説明】
【０００８】１  衛生マスク用フレーム
２  釦
３  立体補強材
【図１】
0003234829.tif 000003
【図２】
0003234829.tif 000004
【図３】
0003234829.tif 000005
【図４】
0003234829.tif 000006
【図５】
0003234829.tif 000007
【図６】
0003234829.tif 000008
(57)【要約】      （修正有）【課題】単純構造で既製部品のみを使用し低コスト製作が出来る足踏み式消毒スタンドを提供する。【解決手段】足踏み式消毒液スタンドは、上部に設けたボトルのプッシャー部を押し下げて消毒液を噴霧する操作を足踏みで噴霧操作する液噴霧容器用の足踏み式スタンドであって、足踏み板を設置する支持板（土台）１２と、木製支柱６で挟まれた上方空間に消毒液ボトル置き台７と、消毒液ボトル置き台に消毒液ボトルを置いた際に消毒液ボトルのプッシャーが触れる位置にキャップ状のプッシャー部のずれ防止機構２を有する押し板台１を設け、押し板台１をステー４で固定し、ステー４は消毒液ボトル置き台７の下部までの長さで、支持板（土台）１２の足踏み板１１を操るパイプ１０までワイヤー９で接続され、足踏み板を操るパイプ１０は、木製支柱６の手前の支持板（土台）１２に設けられる。【選択図】図１
0003234827.tif 000002
【実用新案登録請求の範囲】
【請求項１】
上部に設けたボトルのプッシャー部を押し下げて消毒液を噴霧する操作を足踏みで噴霧操作する液噴霧容器用の足踏み式スタンドであって、
足踏み板を設置する支持板（土台）と、
前期支持板（土台）から平行に立設された木製支柱と、
前記木製支柱ではさまれた上方空間に消毒液ボトル置き台と、
前記消毒液ボトル置き台に消毒液ボトルを置いた際に消毒液ボトルのプッシャーが触れる位置にキャップ状のプッシャー部のずれ防止機構を有する押し板台を設け、
前記押し板台をステーで固定し、
前記ステーは前記消毒液ボトル置き台の下部までの長さで、以下は前記支持板（土台）の足踏み板を操るパイプまでワイヤーで接続され、
前記足踏み板を操るパイプは、前記木製支柱の手前の前記支持板（土台）に設けられることを特徴とする足踏み式消毒液スタンド。
【考案の詳細な説明】
【考案の詳細な説明】
【技術分野】
【０００１】  本考案はコロナ禍における感染予防対策として用いられる足踏み式消毒液スタンドに関する。
【背景技術】
【０００２】  コロナ禍において、感染予防のため入り口には形はどうであれ、消毒液ボトルを設置するのが必須条件なっている。多くはテーブルの上に消毒液ボトルを置いているがプッシャー部を押すタイプ、握るタイプがほとんどである。そのため必ずボトルには触れなければならない。いくら消毒するからと言っても不衛生感はいがめない。【０００３】  多くの設置場所は小型テーブルの上にタオルを敷いてボトルを置いているが、片手でプッシャー部を押す（握る）ので片方の手で消毒液を受け止めるため、台が汚れてしまう。足踏み式にすることによって両手で消毒液を受け止めることができ汚れがおさえられる。【０００４】  多く見られるテーブル置き台は見逃すことがあり存在感がない。
【先行技術文献】
【０００５】
【特許文献】実用新案登録第３２３０１７６号公報
【考案の概要】
【考案が解決しようとする課題】
【０００６】  両手で消毒液を受け止める事が出来るので下回りの汚れが軽減できる。踏めば消毒液が噴出するので多くの方々をスムーズに案内でき、かつ、消毒液スタンドの存在感を放つ等、本考案はかかる問題点を解決することを課題とする。
【課題を解決するための手段】
【０００７】  本考案は上記課題を解決するため、上部に設けたボトルのプッシャー部を押し下げて消毒液を噴霧する操作を足踏みで噴霧操作する液噴霧容器用の足踏み式スタンドであって、足踏み板を設置する支持板（土台）（１２）と、前記支持板（土台）（１２）から平行に立設された木製支柱（６）と、前記支柱（６）で挟まれた上方空間に消毒液ボトル置き台（７）と、前記消毒液ボトル置き台に消毒液ボトルを置いた際に消毒液ボトルのプッシャーが触れる位置にキャップ状のプッシャー部のずれ防止機構（２）を有する押し板台（１）を設け、前記押し板台（１）を（４）ステーで固定し、前記ステー（４）は前記消毒液ボトル置き台（７）の下部までの長さで、以下は前記支持板（土台）（１２）の足踏み板（１１）を操るパイプ（１０）までワイヤー（９）で接続され、前記足踏み板を操るパイプ（１０）は、前記木製支柱（６）の手前の前記支持板（土台）（１２）に設けられた構造となっている。
【考案の効果】
【０００８】本考案によれば、足踏み式消毒液スタンドであるので、足踏み板を踏むことにより容易に消毒、手で触ることがないため、両手はもちろんのこと片方の手がふさがっていても容易に消毒ができ、清潔感もある。また、消毒液の存在感もあり、スムーズに人の流れを助長する事ができ、また、電源式でないので、どこにでも単独で移動が可能であるという効果や、足踏み板が手前に設けられるため、足を深くまで踏み入れなくても安定した状態で操作が可能となる。
【図面の簡単な説明】
【０００９】
【図１】足踏み式消毒液スタンドを示す正面図
【図２】足踏み式消毒液スタンドを示す斜視図
【考案を実施するための形態】
【００１０】  以下、本考案の実施の形態について、図面を参照して詳細に説明する。
【００１１】  １図、２図に示される足踏み式消毒液スタンドは木製（２×４材、窓枠材、県産材等）を主とするもので製作する。１図、２図は家具調風の物を製作するため、窓枠材（厚さ２０ｍｍ×幅１０５ｍｍ）にて説明するものとする。支柱（６）長さ８００ｍｍにカットしたもの、２本で消毒液ボトル置き台（７）を挟むようにビスにて固定（家具調であるのでビスの頭はキャップにて隠す）し転倒防止及び安定感を保つための支持板（１２）（土台）を取り付ける。天板の押し板台（１）に横折Ｔ字金具３を取り付けそれにボルトナットにてステー（４）を取り付け他方の端にはワイヤーにスリーブ（８）を使用して繋ぎ、尚且つ足形押し板に取り付けてあるパイプ（１０）に接続する。尚、消毒液置き台には、ステーが通過する溝が切られている。足形足踏み台（１１）を踏むことによってワイヤー、ステー（４）と繋がっている押し板台（１）が引っ張られ、消毒液ボトル（５）のプッシャー部（２）を押し消毒液が噴霧されるという単純な仕組みである、踏んでいる足を離すことによって消毒液プッシャー部はボトル自体のバネによって元に戻り復元する、押した回数だけ、強さにより消毒液は噴霧されるものである。
【産業上の利用可能性】
【００１２】  本考案は１年以上経過するも先の見えないコロナ禍における感染予防対策の一環として欠かせない手指の消毒であり、存在感があり、効率よく利便性に富み、清潔感もあり、すべての部材が既製部品であるため安価で大量生産できるため産業上の利用可能性は十分にある。
【符号の説明】
【００１３】１……押し板台
２……キャップ（プッシャー部ずれ防止）
３……横折Ｔ字金具
４……ステー
５……消毒液ボトル
６……支柱
７……消毒液ボトル置き台
８……スリーブ
９……ワイヤー
１０……パイプ
１１……足踏み板
１２……支持板（土台）
【図１】
0003234827.tif 000003
【図２】
0003234827.tif 000004
(57)【要約】      （修正有）【課題】ふせん紙やメモ用紙などの用紙を冊子状態の用紙本体から片手で分離する作業を可能にした台板付冊子状態用紙構造を提供する。【解決手段】台板付冊子状態用紙構造は、ふせん紙やメモ用紙などの冊子状態の用紙本体２に、手の甲を着けられる程度の大きさで、手の甲で押さえる作業に耐えられる強度のある台板３を設け、用紙本体２を中指と薬指と小指で押さえながら使用する用紙１を親指と人差し指でつまんでめくり上げ、中指と薬指と小指を用紙本体２から離すと同時に小指側から手を台板３に着け、親指と人差し指でつまんだ用紙１を用紙本体２から引き離しながら手の甲を台板３に着けて押さえるようにすることにより、片手での冊子状態の用紙本体２から用紙１を分離する作業を可能にした。【選択図】図１
0003234830.tif 000002
【実用新案登録請求の範囲】
【請求項１】
ふせん紙やメモ用紙などの冊子状態の用紙本体に、手の甲を着けられる程度の大きさで、手の甲で押さえる作業に耐えられる強度のある台板を設け、片手での用紙本体から用紙を分離する作業を可能にしたことを特徴とする台板付冊子状態用紙構造。
【考案の詳細な説明】
【技術分野】
【０００１】  本考案は、ふせん紙やメモ用紙などの冊子状態の用紙本体に、手の甲を着けられる程度の大きさで、手の甲で押さえる作業に耐えられる強度のある台板を設け、片手での用紙本体から用紙を分離する作業を可能にした台板付冊子状態用紙構造に関するものである。
【背景技術】
【０００２】  従来、ふせん紙やメモ用紙などの用紙を用紙本体から分離する作業は、両手を使った動作が必要であった。
【先行技術文献】
【特許文献】
【非特許文献】
【考案の概要】
【考案が解決しようとする課題】
【０００３】  これは、次のような欠点があった。書籍をめくっている時や電話をかけている時などの片手しか空いていない時には、両手が必要な動作は片手だけでは困難である。また、障がいのある方や介護が必要なお年寄りで片手が不自由な方も、両手が必要な動作は困難である。本考案は、以上のような欠点をなくす台板付冊子状態用紙構造を提供することを目的とする。
【課題を解決するための手段】
【０００４】  このような目的を達成する本考案の台板付冊子状態用紙構造は、ふせん紙やメモ用紙などの冊子状態の用紙本体に、手の甲を着けられる程度の大きさで、手の甲で押さえる作業に耐えられる強度のある台板を設けるものである。【０００５】  用紙本体を中指と薬指と小指で押さえながら使用する用紙を親指と人差し指でつまんでめくり上げ、中指と薬指と小指を用紙本体から離すと同時に小指側から手を台板に着け、親指と人差し指でつまんだ用紙を用紙本体から引き離しながら手の甲を台板に着けて押さえるようにすることにより、片手での用紙本体から用紙を分離する作業が可能になる。
【考案の効果】
【０００６】  本考案の台板付冊子状態用紙構造によれば、書籍をめくっている時や電話をかけている時などの片手しか空いていない時にも中断することなく、ふせん紙やメモ用紙などの用紙を用紙本体から分離する作業が片手で可能になる。【０００７】  また、障がいのある方や介護が必要なお年寄りで片手が不自由な方も、ふせん紙やメモ用紙などの用紙を用紙本体から分離する作業が片手に可能になる。
【図面の簡単な説明】
【０００８】
【図１】  本考案の台板付冊子状態用紙構造の実施例を示す正面斜視図である。
【考案を実施するための形態】
【０００９】  以下、本考案の台板付冊子状態用紙構造を図面に示す実施例に基づいて具体的に説明するが、実施するにあたり、この説明や手順に限定されるものではない。
【実施例】
【００１０】  図１は本考案の実施例を示すふせん紙であり、１は用紙、２は用紙本体、３は台版である。素材は、用紙１と用紙本体２は一般的な紙製ふせん紙、または紙製メモ用紙などである。台板３は分別及びリサイクルに容易な段ボールなどが最適であるが、他に金属やプラスチックなど特に限定されるものではない。【００１１】  冊子状態の用紙本体２に、手の甲を着けられる程度の大きさで、手の甲で押さえる作業に耐えられる強度のある台板３を設ける。長さは用紙本体２の倍程度、幅は用紙本体２と同程度、または倍程度が最適であるが、大きさや形など特に限定されるものではない。【００１２】  用紙本体２を中指と薬指と小指で押さえながら使用する用紙１を親指と人差し指でつまんでめくり上げ、中指と薬指と小指を用紙本体２から離すと同時に小指側から手を台板３に着け、親指と人差し指でつまんだ用紙１を用紙本体２から引き離しながら手の甲を台板３に着けて押さえるようにする。【００１３】  本考案の一実施例は上述の如き構成からなるものである。ただし、用紙本体２を押さえる、及び用紙１をつまんでめくり上げる、及び台板３に着けて押さえるなどの動作をおこなう体の部位や手順など特に限定されるものではない。
【符号の説明】
【００１４】１  用紙
２  用紙本体
３  台板
【図１】
0003234830.tif 000003
(57)【要約】【課題】  不要時には、手首又は他のバッグの持手部等に装着させ持ち運びする事が出来、使用時に迅速に小型のエコバッグ形状に変化させて使用する事が可能とするエコバッグを提供する。【解決手段】  開口部を有した袋体１０であり当該袋体の開口部外側面に一対の持手部２０を備え、前記袋体の外側面の一方にスナップボタン雄４０を具備したベルト３０と、他方にスナップボタン雌４５を具備したベルト３５を備えたエコバッグである。【選択図】図１
0003234835.tif 000002
【実用新案登録請求の範囲】
【請求項１】
開口部を有した袋体であり当該袋体の開口部外側面若しくは内側面に一対の持手部を備えた携帯用エコバッグであり、前記袋体の外側面に複数の係止部を具備させたエコバッグ。
【請求項２】
前記袋体の開口部から底部若しくは底部から開口部に向かい前記袋体を巻き込みながら、棒状の形態とした段階で前記棒状の形態両端若しくは両端付近を係止することが可能となるように前記係止部を配置する請求項１記載のエコバッグ。
【請求項３】
前記係止部は前記袋体に直接固定若しくは前記袋体にベルトを介して前記係止部が取り付けられた請求項１記載のエコバッグ。
【考案の詳細な説明】
【技術分野】
【０００１】本考案は、手首に装着させ携帯する形状のエコバッグに関するものである。
【背景技術】
【０００２】近年の環境志向に加えてレジ袋有料化により、コンビニエンスストア等で使用されるレジ袋の仕様から、買い物用エコバッグを活用する生活シーンへの変化対応が求められている。
【先行技術文献】
【特許文献】
【０００３】
【特許文献１】実用登録第３１５４３６７号公報
【特許文献２】実用登録第３２２８５４５号公報
【考案の概要】
【考案が解決しようとする課題】
【０００４】買い物を目的としない外出で店舗やコンビニエンスストア等に立ち寄る場合もあるが、その際にエコバッグを持参することを忘れがちになることも多々ある。その理由として、従来型のエコバッグは本体を小さく折り畳み別体の袋に収納する手間と、別体の袋の常時携帯が必要となる。【０００５】特許文献１は、ショッピングバッグの一面のいずれかの位置に該ショッピングバッグを畳み入れ可能とする開閉口付のキャラクターを取付けたことを特徴とするキャラクター内収納形ショッピングバッグが提案されている。【０００６】特許文献２は、布製リボン形状の装飾物であるバッグチャームの本体中心部分の布ベルトをボタンで着脱することにより、持ち手が２箇所の手提げ袋形状のバッグに変形するとともに、付属の金属チェーン部分も着脱可能で当該バッグの装飾として活用する特徴を有するエコバッグが提案されている。【０００７】しかしながら、特許文献１に於けるキャラクター内に収納されるエコバッグは当該キャラクターを直接持ち歩く必要があるため置き忘れの問題が生じる。また、ハンドバッグの金具に取り付けて持ち歩く方法もあるようだがコンビニエンスストアに立ち寄る際に態々ハンドバッグを持参しないといけない。特許文献２に於ける布製リボン形状となるエコバッグについても上記同様である。
【課題を解決するための手段】
【０００８】本考案のエコバッグは巻きながら折り畳み係止部により手首に装着可能にしているためブレスレットとしての機能を有する。そのために使用時に迅速に手に取れる事、紛失を避ける事、不意の買い物時での使用など管理上の問題点を解決している。【０００９】具体的には、開口部を有した袋体であり当該袋体の開口部外側面若しくは内側面に一対の持手部を備えた携帯用エコバッグであり、前記袋体の外側面に複数の係止部を具備させたエコバッグとする。【００１０】使用方法については、袋体の開口部から底部若しくは底部から開口部に向かい前記袋体を巻き込みながら、棒状の形態とした段階で前記棒状の形態両端若しくは両端付近を係止することが可能となるように前記係止部を配置する。尚、係止部は袋体に直接固定も可能であり若しくは袋体にベルトを介して係止部を取り付けてもよい。【００１１】係止部の一例として、面テープ、ボタン、ハトメ、スターリング、ロブスタークラスプ、ナスカン、カラビナ、マグネットホック、スナップ、差込み錠など使用可能である。
【考案の効果】
【００１２】上述のように本考案のエコバッグは、シュシュ型の形状により日常を演出するアクセサリー効果も見込める。また、エコバッグ本体を吸水性の高い布製の生地を使用すればハンカチとしても使用可能である。
【図面の簡単な説明】
【００１３】
【図１】本考案のシュシュ型エコバッグの一実施例を示す正面図。
【図２】本考案のシュシュ型エコバッグを開口部から袋底部に向かい巻きながら折り畳んでいる図。
【図３】袋底部まで巻いて折り畳み、棒状になった形状を示す図。
【図４】図３の棒状になった袋体を軸方向に捩じった状態を示す図。
【図５】図４の棒状になった袋体を捩じった状態でスナップボタンを留めた状態を示す図。
【考案を実施するための形態】
【００１４】以下、本考案に係る実施の形態を図面により説明するが、本考案の範囲は本実施形態に制限されるものではない。
【実施例】
【００１５】図１は、本考案のシュシュ型エコバッグの一実施例を示す正面図である。布製の袋体１０の上部に開口部と当該開口部外側面に一対の持手部２０を備えたエコバッグ構造とし、前記袋体１０の外側面の端部にスナップボタン４０を具備したベルト３０と前記袋体１０の外側面の他端部にスナップボタン４５を具備したベルト３５を取付けているシュシュ型エコバッグである。【００１６】図２は、本考案のシュシュ型エコバッグを開口部から袋底部に向かい巻きながら折り畳んでいる図を示しており、図３は袋底部まで巻いて折り畳み、棒状になった形状を示す図である。【００１７】図４は、図３の棒状になった袋体を軸方向に捩じった状態を示す図である。捩じる回数は特に限定しないが、ブレスレットにする場合には手首のサイズに合うようにし、スナップボタン雄４０とスナップボタン雌４５にて留めるようにする。
【符号の説明】
【００１８】１０    袋体
２０    持手部
３０    ベルト
３５    ベルト
４０    スナップボタン雄
４５    スナップボタン雌
【図１】
0003234835.tif 000003
【図２】
0003234835.tif 000004
【図３】
0003234835.tif 000005
【図４】
0003234835.tif 000006
【図５】
0003234835.tif 000007
(57)【要約】      （修正有）【課題】住宅壁面床面屋根裏、寝具、クッション等の内容物、人体の断熱、遮熱、保温、定温を促進する、遮熱断熱保温機能付き綿を提供する。【解決手段】アルミ蒸着ＰＥＴのアルミ蒸着面に不織布を可塑剤で貼り付けたものをスリット加工を施しポリエステル短スパン綿状にしたものに混合し綿状にしたものである。天然繊維、化学繊維の綿でも良い。綿状の形状であるため、外形物に応じた形状で加工し貼り付け、充填する。【選択図】図１
0003234839.tif 000002
【実用新案登録請求の範囲】
【請求項１】
アルミ蒸着ＰＥＴのアルミ蒸着面に不織布を可塑剤で貼り付けたものをスリット加工を施しポリエステル短スパン綿、化学繊維綿、天然繊維綿に混合した綿。
【考案の詳細な説明】
【技術分野】
【０００１】住宅壁面床面屋根裏、クッション、寝具等の内面、外面に使用し温度管理、品質管理に関するものである。
【背景技術】
【０００２】冬季の保温、夏季の遮熱、左記以外の期間での定温を促進するものである。積極的に効果を発するものは存在していなかった。
【先行技術文献】
【特許文献】
【０００３】
【特許文献１】
【特許文献２】
【非特許文献】
【０００４】
【非特許文献１】
【非特許文献２】
【考案の概要】
アルミ蒸着ＰＥＴのアルミ蒸着面に不織布を可塑剤で貼り付けたものをスリット加工を施しポリエステル短スパン綿状にしたものに混合し綿状にしたものである。天然繊維、化学繊維の綿でも良い。
【考案が解決しようとする課題】
【０００５】通常の綿にアルミニュウム等の金属を混合すると飛沫や酸化により悪影響が生じるがアルミ蒸着ＰＥＴのアルミ蒸着面に不織布を可塑剤で貼り付けたものをスリット加工を混合する事により保温、断熱等の温度管理が可能となる。
【課題を解決するための手段】
【０００６】考案の概要で加工されたものをシート、袋状、面状等外形に応じた形状に加工したものを貼り付ける。充填してもよい。
【考案の効果】
【０００７】冬季の保温、夏季の遮熱、左記以外の期間での定温を促進するものである。
【図面の簡単な説明】
【０００８】
【図１】平面断面詳細図である。
【考案を実施するための形態】
【０００９】本考案は綿状の形状であるため、外形物に応じた形状で加工し貼り付ける。充填でも良い。
【実施例】
【００１０】クッション、寝具に充填、ニードルパンチ加工によりシート状にして衣料内部に貼り付けて使用、表面カバー等内容物の管理、品質管理、衣料等応用範囲は多岐である。
【図１】
0003234839.tif 000003
【手続補正書】
【提出日】令和3年4月5日(2021.4.5)
【手続補正１】
【補正対象書類名】実用新案登録請求の範囲
【補正対象項目名】全文
【補正方法】変更
【補正の内容】
【実用新案登録請求の範囲】
【請求項１】
アルミ蒸着ＰＥＴのアルミ蒸着面に不織布を可塑剤で貼り付けたもの熱溶着でもよいをスリット加工を施しポリエステル短スパン繊維、化学繊維、天然繊維を同じくスリット加工を施しすべてを混合する。
【手続補正書】
【提出日】令和3年8月8日(2021.8.8)
【手続補正１】
【補正対象書類名】実用新案登録請求の範囲
【補正対象項目名】全文
【補正方法】変更
【補正の内容】
【実用新案登録請求の範囲】
【請求項１】
アルミ蒸着ＰＥＴのアルミ蒸着面に不織布を可塑剤で貼り付けたもの熱溶着でもよいをスリット加工を施しポリエステル短スパン繊維、化学繊維、天然繊維を同じくスリット加工を施したものをすべてを混合することを特徴とする遮熱断熱機能を持つ繊維とアルミ蒸着フィルム混合綿。